(57)【要約】【課題】ソケットを交換することなく既存の蛍光灯と他の光源との使い分けを容易に且つ安全に行うことができる光源及びそれを用いた照明装置を提供する。【解決手段】ＬＥＤランプ１は、複数の発光ダイオードから成る発光部が設けられた長尺板状の基板１１と、基板１１を収納する直管形の管体１０と、管体１０の両端に設けられて器具本体２に支持される１対のソケット２０に装着される１対の保持用口金１２と、器具本体２に設けられた接続部２２に装着されて、自身及び接続部２２を介した経路で発光部に点灯電力を給電するための給電部１３とを備え、給電部１３は、各保持用口金１２を各ソケット２０に装着した際に器具本体２側に位置するように設けられた。【選択図】図１
2011198695.tif 000002
【特許請求の範囲】
【請求項１】
蛍光灯とは異なる光源であって、発光部と、既存の蛍光灯用の照明器具のソケットに装着される保持用口金と、前記ソケットを介した経路とは異なる経路で前記発光部に点灯電力を給電するための給電部とを備え、前記給電部は、前記保持用口金を前記ソケットに装着した際に前記照明器具側に位置するように設けられたことを特徴とする光源。
【請求項２】
前記保持用口金は１対設けられ、給電部は、前記１対の保持用口金の間の中間部に位置するように設けられたことを特徴とする請求項１記載の光源。
【請求項３】
前記発光部は、直管形の管体に収納され、前記管体の両端に前記保持用口金がそれぞれ設けられたことを特徴とする請求項１又は２に記載の光源。
【請求項４】
前記発光部は、前記保持用口金が前記ソケットに装着された際に前記ソケットよりも外側に突出することを特徴とする請求項１又は２に記載の光源。
【請求項５】
前記蛍光灯に設けられた口金が装着されるソケットと、前記ソケットを支持するとともに前記ソケットを介して前記蛍光灯に点灯電力を給電する第１の点灯装置を収納した器具本体とを備え、前記器具本体には、請求項１乃至４の何れか１項に記載の光源に点灯電力を給電する第２の点灯装置が収納され、前記器具本体における前記ソケットが設けられた一面には、前記給電部が装着されるとともに自身及び前記給電部を介した前記第２の点灯装置から前記光源への給電経路を確立する接続部が設けられたことを特徴とする照明装置。
【請求項６】
前記給電部及び接続部は、それぞれ互いを機械的に保持する保持部を有することを特徴とする請求項５記載の照明装置。
【請求項７】
前記給電部は、前記保持用口金が前記ソケットに装着されるのと同時に前記接続部に装着されることを特徴とする請求項５又は６に記載の照明装置。
【発明の詳細な説明】
【技術分野】
【０００１】
本発明は、蛍光灯とは異なる光源及びそれを用いた照明装置に関する。
【背景技術】
【０００２】
近年、既存の蛍光灯用照明器具に取り付け可能な蛍光灯型の発光ダイオードランプ（以下、「ＬＥＤランプ」と呼ぶ）が、蛍光灯の代替光源として市場に出てきており、例えば特許文献１に開示されている。特許文献１に記載のＬＥＤランプ（ＬＥＤ装置)は、管状に形成された透光性部材の内部に複数個のＬＥＤを配設して成る。そして、透光性部材の両端に設けられた口金を照明器具のランプソケットに装着し、ランプソケットを介して点灯装置から点灯に必要な電力を給電することで、ＬＥＤが発光するようになっている。
【０００３】
このような蛍光灯型のＬＥＤランプの装着方法は、各メーカで統一されていない。例えば、ＬＥＤランプを既存の蛍光灯用照明器具で使用する場合には、蛍光灯用の点灯装置を取り外してＬＥＤランプ用の点灯装置を照明器具に備え付ける等、照明器具を改造する必要がある。
【先行技術文献】
【特許文献】
【０００４】
【特許文献１】特開２００４−３０９２９号公報
【発明の概要】
【発明が解決しようとする課題】
【０００５】
ところで、蛍光灯及び蛍光灯型のＬＥＤランプは一見して同じ形状であるため、改造を施した照明器具を既存の蛍光灯用照明器具と勘違いし、誤って蛍光灯を装着してしまう虞があった。この場合、蛍光灯とＬＥＤランプとでは点灯装置の設計が異なるため、誤って蛍光灯を接続すると点灯させることができず、ランプにも悪影響を与える虞があった。また、同じ蛍光灯型のＬＥＤランプであっても、他のメーカが製造した規格の異なるＬＥＤランプを改造を施した照明器具に誤って装着した場合、蛍光灯を装着した場合と同様に、点灯させることができず、ランプに悪影響を与える虞があった。
【０００６】
一方、上記特許文献１に記載のＬＥＤランプでは、ＬＥＤランプを点灯するために専用の口金を設けた構成であるため、既存の蛍光灯用照明器具において当該口金に対応するソケットに交換すれば、上記の問題は生じない。しかしながら、既存の蛍光灯用照明器具のソケットをＬＥＤランプの口金に対応するソケットに交換する必要があることから、手間がかかるという問題があった。
【０００７】
本発明は、上記の点に鑑みて為されたもので、ソケットを交換することなく既存の蛍光灯と他の光源との使い分けを容易に且つ安全に行うことができる光源及びそれを用いた照明装置を提供することを目的とする。
【課題を解決するための手段】
【０００８】
第１の発明は、上記目的を達成するために、蛍光灯とは異なる光源であって、発光部と、既存の蛍光灯用の照明器具のソケットに装着される保持用口金と、前記ソケットを介した経路とは異なる経路で前記発光部に点灯電力を給電するための給電部とを備え、前記給電部は、前記保持用口金を前記ソケットに装着した際に前記照明器具側に位置するように設けられたことを特徴とする。
【０００９】
第２の発明は、第１の発明において、前記保持用口金は１対設けられ、給電部は、前記１対の保持用口金の間の中間部に位置するように設けられたことを特徴とする。
【００１０】
第３の発明は、第１又は第２の発明において、前記発光部は、直管形の管体に収納され、前記管体の両端に前記保持用口金がそれぞれ設けられたことを特徴とする。
【００１１】
第４の発明は、第１又は第２の発明において、前記発光部は、前記保持用口金が前記ソケットに装着された際に前記ソケットよりも外側に突出することを特徴とする。
【００１２】
第５の発明は、前記蛍光灯に設けられた口金が装着されるソケットと、前記ソケットを支持するとともに前記ソケットを介して前記蛍光灯に点灯電力を給電する第１の点灯装置を収納した器具本体とを備え、前記器具本体には、請求項１乃至４の何れか１項に記載の光源に点灯電力を給電する第２の点灯装置が収納され、前記器具本体における前記ソケットが設けられた一面には、前記給電部が装着されるとともに自身及び前記給電部を介した前記第２の点灯装置から前記光源への給電経路を確立する接続部が設けられたことを特徴とする。
【００１３】
第６の発明は、第５の発明において、前記給電部及び接続部は、それぞれ互いを機械的に保持する保持部を有することを特徴とする。
【００１４】
第７の発明は、第５又は第６の発明において、前記給電部は、前記保持用口金が前記ソケットに装着されるのと同時に前記接続部に装着されることを特徴とする。
【発明の効果】
【００１５】
本発明は、既存の蛍光灯用の照明器具のソケットに装着することができ、また、ソケットに装着した際にソケットを介した経路で給電されることがないため、ソケットを交換することなく既存の蛍光灯と他の光源との使い分けを容易に且つ安全に行うことができる。
【図面の簡単な説明】
【００１６】
【図１】本発明に係る照明装置の実施形態１を示す図で、（ａ）はＬＥＤランプの概略図で、（ｂ）は器具本体の概略図である。
【図２】同上のソケットに各ランプを装着した状態を示す図で、（ａ）は蛍光灯を装着した場合の概略図で、（ｂ）はＬＥＤランプを装着した場合の概略図である。
【図３】同上の他の構成を示す図で、（ａ）は器具本体の概略図で、（ｂ）は蛍光灯をソケットに装着した場合の概略図で、（ｃ）はＬＥＤランプをソケットに装着した場合の概略図である。
【図４】本発明に係る照明装置の実施形態２を示す図で、（ａ）はＬＥＤランプの斜視図で、（ｂ）はＬＥＤランプをソケットに装着した場合の概略図である。
【図５】本発明に係る照明装置の実施形態３を示す図で、（ａ）は全体概略図で、（ｂ）は要部斜視図である。
【図６】（ａ）〜（ｃ）は同上のソケットにＬＥＤランプを装着する場合の説明図である。
【図７】同上の他の構成を示す図で、（ａ）はＬＥＤランプを一端側から見た平面図で、（ｂ）は要部斜視図である。
【図８】（ａ）〜（ｃ）は同上の他の構成におけるソケットにＬＥＤランプを装着する場合の説明図である。
【発明を実施するための形態】
【００１７】
（実施形態１）
以下、本発明に係る照明装置の実施形態１について図面を用いて説明する。尚、以下の説明では、図１（ａ）における上下を上下方向と定めるものとする。本実施形態は、図１（ａ），（ｂ）に示すように、ＬＥＤランプ１（光源）と、蛍光灯３（図２（ａ）参照）の長手方向の両端に設けられた１対の口金３０が装着される１対のソケット２０を支持する器具本体２とを備える。
【００１８】
ＬＥＤランプ１は、図１（ａ）に示すように、複数の発光ダイオード（図示せず）から成る発光部が設けられた長尺板状の基板１１を直管形状の管体１０に収納して成る。そして、管体１０の長手方向の両端部には、それぞれ各ソケット２０に装着される保持用口金１２が設けられており、各保持用口金１２からはそれぞれ丸棒状の１対のダミーピン１２ａが突設されている。ここで、各保持用口金１２及び各ダミーピン１２ａは単に各ソケット２０に装着できるように構成されているものであり、各保持用口金１２及び各ダミーピン１２ａと基板１１とは互いに電気的に絶縁されている。而して、ＬＥＤランプ１を各ソケット２０に装着しても各保持用口金１２及び各ダミーピン１２ａを介して発光部に電力が給電されることがない。
【００１９】
発光ダイオードは、ＬＥＤランプ１を各ソケット２０に装着した際に光が下方に出射されるように基板１１の下面に実装される。そして、基板１１の上面及び下面には、各発光ダイオードを直列又は並列、若しくは直列と並列とを組み合わせて接続する配線（図示せず）が設けられ、当該配線と電気的に接続された給電部１３が１対の保持用口金１２の間の中間部に位置するように設けられている。給電部１３は、後述する器具本体２の接続部２２に装着されるコネクタから成り、管体１０を貫通するケーブル１３ａを介して基板１１の配線と電気的に接続されている。また、給電部１３は、図２（ｂ）に示すように、各保持用口金１２を各ソケット２０に装着した際に上側（器具本体２側）に位置するように設けられている。
【００２０】
器具本体２は、図１（ｂ）に示すように、ＬＥＤランプ１及び蛍光灯３の長手方向に沿って長尺な箱形に形成されている。器具本体２の内部には、蛍光灯３に点灯電力を給電する第１の点灯装置２１（図３（ａ）参照）、又はＬＥＤランプ１に点灯電力を給電する第２の点灯装置２３の何れかが収納される。ここで、本実施形態の器具本体２は、既存の蛍光灯用の照明器具を改造したもので、器具本体２の内部からは予め第１の点灯装置２１が取り外され、代わりに第２の点灯装置２３が収納されているものとする。そして、器具本体２の下面には、前述の給電部１３が装着されるコネクタから成る接続部２２が設けられている。当該接続部２２に給電部１３を装着することで、接続部２２及び給電部１３を介した第２の点灯装置２３からＬＥＤランプ１への給電経路が確立するようになっている。
【００２１】
また、器具本体２の下面には、その長手方向に沿った両端に各々ソケット２０が設けられている。各ソケット２０は、既存の蛍光灯用の照明器具に用いられるものであって、その内部には、蛍光灯３の口金３０から突設されたランプピン（図示せず）を機械的に保持するとともに、第１の点灯装置２１と蛍光灯３とを電気的に接続する導電端子（図示せず）が設けられている。尚、本実施形態では、上述のように、器具本体２の内部には第１の点灯装置２１が収納されておらず、各ソケット２０の導電端子と第２の点灯装置２３とは電気的に接続されていない。
【００２２】
以下、本実施形態におけるＬＥＤランプ１及び蛍光灯３の装着について図面を用いて説明する。先ず、蛍光灯３を各ソケット２０に装着する場合について説明する。図２（ａ）に示すように、蛍光灯３の各口金３０を各ソケット２０に装着すると、蛍光灯３の各ランプピンが各ソケット２０の導電端子に機械的に保持される。しかしながら、導電端子と第２の点灯装置２３とが電気的に接続されていないため、蛍光灯３には電力が給電されない。
【００２３】
次に、ＬＥＤランプ１を各ソケット２０に装着する場合について説明する。図２（ｂ）に示すように、ＬＥＤランプ１の各保持用口金１２を各ソケット２０に装着すると、ＬＥＤランプ１の各ダミーピン１２ａが各ソケット２０の導電端子に機械的に保持され、ＬＥＤランプ１が各ソケット２０に保持される。そして、ＬＥＤランプ１の給電部１３を器具本体２の接続部２２に装着すると、給電部１３及び接続部２２を介した第２の点灯装置２３からＬＥＤランプ１への給電経路が確立する。したがって、第２の点灯装置２３からＬＥＤランプ１に点灯電力が給電されて、ＬＥＤランプ１が点灯する。
【００２４】
仮に、第２の点灯装置２３から各ソケット２０を介してＬＥＤランプ１に点灯電力を給電する構成であった場合、蛍光灯３を誤って各ソケット２０に装着すると、第２の点灯装置２３と蛍光灯３とが各ソケット２０を介して電気的に接続されてしまう。この場合、蛍光灯３は点灯できず、更に、蛍光灯３に悪影響を与える虞がある。これに対して、本実施形態では、上述のように、各ソケット２０を介した従来の給電経路ではなく、給電部１３及び接続部２２を介した異なる給電経路でＬＥＤランプ１と第２の点灯装置２３とを電気的に接続している。したがって、蛍光灯３を誤って各ソケット２０に装着しても、第２の点灯装置２３と蛍光灯３とが各ソケット２０を介して電気的に接続されることがない。
【００２５】
上述のように、本実施形態のＬＥＤランプ１は、既存の蛍光灯用の照明器具の各ソケット２０に装着される１対の保持用口金１２と、各ソケット２０を介した経路とは異なる経路で給電するための給電部１３とを備えている。このため、本実施形態のＬＥＤランプ１は、既存の蛍光灯用の照明器具の各ソケット２０に装着することができ、従来の蛍光灯３と同様に安定して器具本体２に保持される。また、各ソケット２０に装着した際に各ソケット２０を介した経路で給電されることがないため、各ソケット２０を交換することなく既存の蛍光灯３と他の光源との使い分けを容易に行うことができ、且つ安定した給電性能を保つことができる。更に、仮に各ソケット２０から各保持用口金１２が外れたとしても、給電部１３が接続部２２に装着されているために、ＬＥＤランプ１の落下を防止することができる。
【００２６】
また、本実施形態の給電部１３は、各保持用口金１２を各ソケット２０に装着した際に器具本体２側に位置するように設けられているので、基板１１に隠れることで外観を損なうことがなく、発光ダイオード（発光部）による配光を妨げることもない。更に、本実施形態の給電部１３は、１対の保持用口金１２の間の中間部に位置するように設けられているので、ＬＥＤランプ１の長手方向に影響されずにＬＥＤランプ１を装着することができる。即ち、仮に給電部１３が１対の保持用口金１２の間の中間部からずれた位置に設けられていたとすると、ＬＥＤランプ１を各ソケット２０に装着する向きが一意に決まってしまう。一方、給電部１３を１対の保持用口金１２の間の中間部に位置するように設けた場合は、ＬＥＤランプ１の向きを考慮せずに容易に装着することができる。
【００２７】
更に、本実施形態のＬＥＤランプ１は、管体１０が従来の直管型の蛍光灯３と同じ形状であり、且つ管体１０の長手方向の両端にそれぞれ保持用口金１２を設けた構成であるため、従来の直管型の蛍光灯３と同様の操作で各ソケット２０に装着することができる。また、従来の蛍光灯３及び本実施形態のＬＥＤランプ１が一見して同じ外観であるため、蛍光灯３からＬＥＤランプ１に交換した際に、照明装置全体の外観が変化することがない。
【００２８】
ところで、本実施形態では、器具本体２の内部にはＬＥＤランプ１用の第２の点灯装置２３のみを収納しているが、図３（ａ）に示すように、蛍光灯３用の第１の点灯装置２１も収納しても構わない。この場合、図３（ｂ）に示すように、蛍光灯３を各ソケット２０に装着すると、各ソケット２０を介して第１の点灯装置２１から蛍光灯３へ点灯電力が給電されて、蛍光灯３が点灯する。また、図３（ｃ）に示すように、ＬＥＤランプ１を各ソケット２０に装着するとともに、給電部１３を接続部２２に装着すると、給電部１３及び接続部２２を介して第２の点灯装置２３からＬＥＤランプ１へ点灯電力が給電されて、ＬＥＤランプ１が点灯する。したがって、ＬＥＤランプ１及び蛍光灯３の何れを各ソケット２０に装着しても、互いに異なる給電経路を介して点灯電力が給電されるため、ＬＥＤランプ１及び蛍光灯３を目的に応じて選択的に使用することができる。また、何れのランプを各ソケット２０に装着しても構わないため、仮に使用目的と異なるランプを誤って装着したとしてもランプが点灯し、且つランプに悪影響を与える虞がない。
【００２９】
（実施形態２）
以下、本発明に係る照明装置の実施形態２について図面を用いて説明する。尚、本実施形態の基本的な構成は実施形態１と共通であるので、共通する部位には同一の番号を付して説明を省略する。また、以下の説明では、図４（ｂ）における上下を上下方向と定めるものとする。本実施形態では、図４（ａ）に示すように、ＬＥＤランプ４（光源）の構成が実施形態１のＬＥＤランプ１と異なっている。
【００３０】
ＬＥＤランプ４は、図４（ａ）に示すように、複数の発光ダイオード（図示せず）から成る発光部が設けられた長尺板状の基板４０と、基板４０上面の長手方向の両端に設けられて各ソケット２０に装着される１対の保持用口金４１とから成り、実施形態１の管体１０を備えていない。各保持用口金４１からは、実施形態１と同様に、それぞれ丸棒状の１対のダミーピン４１ａが突設されている。また、基板４０上面には、１対の保持用口金４１の間の中間部に位置するように給電部４２が設けられている。
【００３１】
発光ダイオードは、ＬＥＤランプ１を各ソケット２０に装着した際に光が下方に出射されるように基板４０の下面に実装される。そして、基板４０の上面及び下面には、各発光ダイオードを直列又は並列、若しくは直列と並列とを組み合わせて接続する配線（図示せず）が設けられている。給電部４２は、実施形態１と同様にコネクタから成り、ケーブル４２ａを介して基板４０の配線と電気的に接続されている。
【００３２】
以下、本実施形態におけるＬＥＤランプ４の装着について図面を用いて説明する。図４（ｂ）に示すように、各保持用口金４１を各ソケット２０に装着すると、ＬＥＤランプ４が各ソケット２０に保持される。そして、給電部４２を接続部２２に装着すると、第２の点灯装置２３からＬＥＤランプ４への給電経路が確立する。したがって、ＬＥＤランプ４に点灯電力が給電されて、ＬＥＤランプ４が点灯する。ここで、本実施形態では、各保持用口金４１が基板４０の上面に設けられているため、各保持用口金４１を各ソケット２０に装着すると、基板４０が各ソケット２０よりも下側（外側）に突出するようになっている。即ち、基板４０に設けられた発光部が各ソケット２０よりも下側に突出する。
【００３３】
ここで、実施形態１では、基板１１が管体１０に収納され、且つ管体１０の寸法が各ソケット２０間の寸法に制約されているので、基板１１の寸法も制約されて発光部を自由に設計することができない。一方、本実施形態では、基板４０が各ソケット２０よりも下側に突出していることから、基板４０の寸法が各ソケット２０間の寸法に制約されない。したがって、基板４０を矩形板状や円板状などの種々の形状に自由に設計することができることから、発光部を蛍光灯３とは異なる形状に設計することができる。また、下側から本実施形態を見る際に、基板４０によって各ソケット２０が隠れるため、外観の向上を図ることができる。
【００３４】
（実施形態３）
以下、本発明に係る照明装置の実施形態３について図面を用いて説明する。尚、本実施形態の基本的な構成は実施形態１と共通であるので、共通する部位には同一の番号を付して説明を省略する。また、以下の説明では、図５（ａ）における上下を上下方向と定めるものとする。本実施形態は、図５（ａ）に示すように、ＬＥＤランプ１の給電部１３が１対の給電端子１４から成る。また、器具本体２の接続部２２が、図５（ｂ）に示すように、各給電端子１４が挿入される１対の挿入溝２４ａと、各挿入溝２４ａの内周面に配設される１対の導電板２４ｂとから成る。
【００３５】
各給電端子１４は、導電性材料から成り、図５（ｂ）に示すように、円盤状の頭部１４ａと、丸棒状の軸部１４ｂとを一体に形成して断面略Ｔ字状に構成される。各給電端子１４は、基板１１の上面から管体１０を貫通して突出するように設けられており、それぞれ基板１１に設けられた配線と電気的に接続されている。接続部２２は全体として箱形に形成され、１対の給電端子１４が挿入される断面略Ｔ字状の１対の挿入溝２４ａが設けられている。また、各挿入溝２４ａの内側には、各給電端子１４と電気的に接続される導電板２４ｂが各挿入溝２４ａの内周面に沿って設けられている。これら導電板２４ｂは、第２の点灯装置２３と電気的に接続されている。而して、各給電端子１４と各導電板２４ｂとが接触して電気的に接続されると、各給電端子１４及び各導電板２４ｂを介した第２の点灯装置２３からＬＥＤランプ１への給電経路が確立するようになっている。
【００３６】
ここで、１対の給電端子１４を各挿入溝２４ａに挿入すると、各給電端子の頭部１４ａが各導電板２４ｂの内面に引っ掛かり、各給電端子１４の重力方向への移動を禁止するようになっている。即ち、給電部１３の各給電端子１４及び接続部２２の各導電板２４ｂが、それぞれを互いに機械的に保持する保持部の機能を果たしている。
【００３７】
以下、本実施形態におけるＬＥＤランプ１の装着について図面を用いて説明する。尚、本実施形態の各ソケット２０は、ＬＥＤランプ１の各ダミーピン１２ａ又は蛍光灯３の各ランプピンが軸方向と垂直な方向に沿って挿入されるスリット（図示せず）を有している。そして、各ダミーピン１２ａ又は各ランプピンを当該スリットに挿入した状態でＬＥＤランプ１又は蛍光灯３を自身の軸を中心として９０度回転させることで、各ランプを各ソケット２０に装着することができるようになっている。即ち、本実施形態の各ソケット２０は回転式ソケットとなっている。
【００３８】
先ず、図６（ａ）に示すように、ＬＥＤランプ１の各保持用口金１２の各ダミーピン１２ａを各ソケット２０に挿入する。この時点では、接続部２２からＬＥＤランプ１の軸を中心として反時計回りに９０度回転した位置に各給電端子１４がある。そして、図６（ｂ），（ｃ）に示すように、ＬＥＤランプ１を自身の軸を中心として時計回りに９０度回転させると、ＬＥＤランプ１の各保持用口金１２が各ソケット２０に装着される。
【００３９】
ここで、当該回転に伴って各給電端子１４も回転し、接続部２２の各挿入溝２４ａに案内される。すると、各給電端子１４の頭部１４ａが各導電板２４ｂの内面に引っ掛かることで、各給電端子１４及び各導電板２４ｂが互いに機械的に保持される。同時に、各給電端子１４及び各導電板２４ｂが接触して電気的に接続されることで、各給電端子１４及び各導電板２４ｂを介した第２の点灯装置２３からＬＥＤランプ１への給電経路が確立する。したがって、第２の点灯装置２３からＬＥＤランプ１に点灯電力が給電されて、ＬＥＤランプ１が点灯する。
【００４０】
上述のように、本実施形態では、各保持用口金１２が各ソケット２０に装着されるのと同時に給電部１３が接続部２２に装着されるので、ＬＥＤランプ１の装着と、給電部１３の接続部２２への装着を１回の操作で行うことができ、施工性を向上することができる。また、本実施形態では、給電部１３が１対の給電端子１４から成るので、実施形態１，２のようにケーブル１３ａ，４２ａが露出することがなく、外観の向上を図ることができる。
【００４１】
ここで、ＬＥＤランプ１は蛍光灯３と比較して重量が大きいため、各ソケット２０による各保持用口金１２の保持だけではＬＥＤランプ１を十分に保持することができず、管体１０の長手方向における中央部が撓む虞がある。一方、本実施形態では、各ソケット２０による各保持用口金１２の保持だけではなく、各給電端子１４及び各導電板４ｂが互いに機械的に保持されるため、管体１０の長手方向における中央部が撓むのを防止することができる。更に、仮に各ソケット２０から各保持用口金１２が外れたとしても、各給電端子１４及び各導電板４ｂが互いに機械的に保持されているために、ＬＥＤランプ１の落下を防止することができる。
【００４２】
ところで、本実施形態では、各ソケット２０は回転式ソケットとなっているが、回転式ソケットの代わりにプランジャ式ソケットを用いてもよい。ここで、プランジャ式ソケットとは、各ソケット２０の少なくとも何れか一方に、各ランプの軸方向に沿って揺動自在なプランジャ構造（図示せず）が設けられているものである。当該各ソケット２０に各ランプを装着するには、先ず、各ランプの長手方向における何れか一端のダミーピン１２ａ又はランプピンを一方のソケット２０のピン挿入孔（図示せず）に挿入する。次に、保持用口金１２又は口金３０の中心軸方向に荷重を掛けてプランジャを押圧しながら，他方のソケット２０に各ランプの長手方向における他端のダミーピン１２ａ又はランプピンを対向させる。そして、プランジャへの荷重を解除することで、プランジャが元の状態に復帰し、他方のソケット２０に各ランプの長手方向における他端のダミーピン１２ａ又はランプピンが挿入され、各ランプが各ソケット２０に装着される。
【００４３】
以下、各ソケット２０がプランジャ式ソケットである場合のＬＥＤランプ１の装着について図面を用いて説明する。尚、各ソケット２０がプランジャ式ソケットである場合には、図７（ａ）に示すように、給電部１３の１対の給電端子１４がＬＥＤランプ１の軸方向と垂直な方向に沿って並設される。また、接続部２２も、図７（ｂ）に示すように、ＬＥＤランプ１を軸方向に沿って移動させた際に１対の導電端子１４が各挿入溝２４ａに案内されるように配設される。
【００４４】
先ず、図８（ａ），（ｂ）に示すように、ＬＥＤランプ１の長手方向における一端（同図における左端）の保持用口金１２のダミーピン１２ａを一方（同図における左方）のソケット２０に挿入し、プランジャを押圧する。この時点では、各給電端子１４は、接続部２２の各挿入溝２４ｂと対向する位置にある。そして、図８（ｃ）に示すように、ＬＥＤランプ１の長手方向における他端（同図における右端）の保持用口金１２のダミーピン１２ａを他方（同図における右方）のソケット２０に対向させ、プランジャへの荷重を解除する。すると、プランジャが元の状態に復帰することで、ＬＥＤランプ１の長手方向における他端のダミーピン１２ａが他方のソケット２０に挿入され、ＬＥＤランプ１の各保持用口金１２が各ソケット２０に装着される。
【００４５】
ここで、プランジャが元の状態に復帰するのに伴って、各給電端子１４が接続部２２の各挿入溝２４ａに案内される。すると、各給電端子１４の頭部１４ａが各導電板２４ｂの内面に引っ掛かることで、各給電端子１４及び各導電板２４ｂが互いに機械的に保持される。同時に、各給電端子１４及び各導電板２４ｂが接触して電気的に接続されることで、各給電端子１４及び各導電板２４ｂを介した第２の点灯装置２３からＬＥＤランプ１への給電経路が確立する。したがって、第２の点灯装置２３からＬＥＤランプ１に点灯電力が給電されて、ＬＥＤランプ１が点灯する。
【００４６】
上述のように、各ソケット２０がプランジャ式ソケットである場合にも、各保持用口金１２が各ソケット２０に装着されるのと同時に給電部１３が接続部２２に装着される。したがって、ＬＥＤランプ１の装着と、給電部１３の接続部２２への装着を１回の操作で行うことができ、施工性を向上することができる。
【００４７】
尚、上記各実施形態では、蛍光灯３とは異なる光源として発光ダイオードから成る発光部を備えたＬＥＤランプ１を採用しているが、これに限定される必要はない。例えば、有機エレクトロルミネッセント（ＥＬ）素子から成る発光部を備えた光源を採用しても構わない。
【符号の説明】
【００４８】
１  ＬＥＤランプ（光源）
１２  保持用口金
１３  給電部
１４  給電端子（保持部）
２  器具本体
２０  ソケット
２１  第１の点灯装置
２２  接続部
２３  第２の点灯装置
２４ｂ  導電板（保持部）
３  蛍光灯
３０  口金
【図１】
2011198695.tif 000003
【図２】
2011198695.tif 000004
【図３】
2011198695.tif 000005
【図４】
2011198695.tif 000006
【図５】
2011198695.tif 000007
【図６】
2011198695.tif 000008
【図７】
2011198695.tif 000009
【図８】
2011198695.tif 000010